(57)【要約】【課題】フロアカーペットの車幅方向端末をロッカパネルに簡単に固定する。【解決手段】ロッカパネルの上面に沿って配索するワイヤハーネスを挿通する樋形状の本体と、該本体の上面開口を閉鎖するカバーとを備えたプロテクタと、前記プロテクタの本体の底壁側よりロッカパネルへの挿入固定するクランプを備えると共に、前記本体の車幅方向の外側壁より間隔をあけて外方に外側板部を備え、該外側板部にフロアカーペット係止部を備える一方、フロアカーペットの車幅方向端末側に係止穴を設け、前記ロッカパネルにクランプを介して固定したプロテクタの上面に前記フロアカーペットを敷設し、該フロアカーペットの端末側を下向きに屈曲させ、前記係止穴に前記フロアカーペット係止部を挿入係止して固定している。【選択図】図１
2008279907.tif 000002
【特許請求の範囲】
【請求項１】
ロッカパネルの上面に沿って配索するワイヤハーネスを挿通する樋形状の本体と、該本体の上面開口を閉鎖するカバーとを備えたプロテクタと、
前記プロテクタの本体の底壁側よりロッカパネルへ挿入固定するクランプを備えると共に、前記本体の車幅方向の外側壁より間隔をあけて外方に外側板部を備え、該外側板部にフロアカーペット係止部を備える一方、
フロアカーペットの車幅方向端末側に係止穴を設け、
前記ロッカパネルにクランプを介して固定したプロテクタの上面に前記フロアカーペットを敷設し、該フロアカーペットの端末側を下向きに屈曲させ、前記係止穴に前記フロアカーペット係止部を挿入係止して固定していることを特徴とするフロアカーペットの固定構造。
【請求項２】
前記外側板部の上端を屈曲させてバネ片部からなる前記フロアカーペット係止部を設け、該フロアカーペット係止部の高さは前記本体の外側壁より低くし、前記バネ片部と前記プロテクタ本体の外側壁との間に前記フロアカーペットの端末側を屈曲して挿入し、前記係止穴に前記バネ片部を挿入係止している請求項１に記載のフロアカーペットの固定構造。
【請求項３】
前記クランプと前記フロアカーペット係止部を有する外側板部を一体的に有する固定板を備え、該固定板を前記プロテクタの底壁に長さ方向に間隔をあけて連結固定している請求項１または請求項２に記載のフロアカーペットの固定構造。
【請求項４】
前記フロアカーペット係止部は、前記プロテクタの外側壁と前記ロッカパネルの外端の上向き屈曲部に取り付けられるウエザーストリップとの隙間に配置される請求項１乃至請求項３のいずれか１項に記載のフロアカーペットの固定構造。
【請求項５】
前記プロテクタ本体の車幅方向で内側端より間隔をあけて突設した内側板部を備え、該内側板部と前記本体の内側壁との空間をウオッシャフォースおよび／またはオープナーケーブルの挿通部としている請求項１乃至請求項４のいずれか１項に記載のフロアカーペットの固定構造。
【発明の詳細な説明】
【技術分野】
【０００１】
本発明は、自動車のフロアに敷設されるフロアカーペットの固定構造に関する。
【背景技術】
【０００２】
自動車のフロア上面に敷設されるフロアカーペットは車幅方向端末がめくれ上がったり、前後左右方向にずれたりすると見栄えがわるくなるため、フロアパネルや他の部分に固定する必要があり、そのため、従来より種々の固定構造が提供されている。
【０００３】
例えば、特開２００３−２６７１１５号公報（特許文献１）では、ロッカの上面に固定するワイヤハーネスクランプに係着するカーペットフックを設け、該カーペットフックにフロアカーペットの車幅方向端末をミシン縫いで縫製したり、タッカーや接着剤を用いて固定している。
また、特開２００４−１２２８０９号公報（特許文献２）では、図７に示すように、フロアカーペット１に穴１ａを形成しておき、ロッカパネル２への係止手段３ａと前記穴１ａに係止する係合突起３ｂとを有する基体３と、該基体３に対して接離方向へ揺動可能に連結されるワイヤハーネス保持部４と、該ワイヤハーネス保持部４と基体３の間にフロアカーペット１の端末１ｂを挟持した状態でワイヤハーネス保持部４を基体３に係止する保持部係止手段５とを備えた構成としている。
即ち、フロアカーペット１に設けた穴１ａに係合突起３ｂを係合すると共に、フロアカーペット１の端末１ｂを基体３とワイヤハーネス保持部４との間で挟持固定している。
【０００４】
【特許文献１】特開２００３−２６７１１５号公報
【特許文献２】特開２００４−１２２８０９号公報
【発明の開示】
【発明が解決しようとする課題】
【０００５】
前記特許文献１のフロアカーペットの固定構造では、カーペットフックが必要となると共に、該カーペットフックにフロアカーペットの車幅方向端末を縫着や接着剤で固定する必要があり、部品点数や作業手数が増加する問題がある。
また、特許文献２のフロアカーペットの固定構造では、ワイヤハーネスとフロアカーペットとは、車両への組みつけ工程でワイヤハーネスがフロアカーペットよりも先に固定され、よって、ロッカ上に先に組つけられたワイヤハーネスを持ち上げてフロアカーペットを敷き込む必要があり、フロアカーペットの穴への係合突起の係合およびフロアカーペットの端末を基体とワイヤハーネス保持部との間で挟持するフロアカーペットの固定作業に時間を要することとなる。また、一旦ロッカに配索したワイヤハーネスを持ち上げる必要があるため、ワイヤハーネス保持部は基体に対して接離方向へ揺動可能とし、フロアカーペットの敷き込み固定後に、ワイヤハーネス保持部と基体とを係止するために保持部係止手段５を必要とし、構成が複雑になる問題がある。さらに、フロアカーペットの穴隠し及び見栄え向上のためにスカッフプレートを取り付けることが必要となる。
【０００６】
本発明は前記問題に鑑みてなされたものであり、特許文献２のように、一旦配索したワイヤハーネスを引き上げてフロアカーペットを敷き込む作業を不要とすると共に、ワイヤハーネスを貫通保護するプロテクタを利用して、簡単にフロアカーペットの車幅方向の端末を固定できるようにし、かつ、スカッフプレートを使用せずに見栄え性を向上させることを課題としている。
【課題を解決するための手段】
【０００７】
前記課題を解決するため、本発明は、ロッカパネルの上面に沿って配索するワイヤハーネスを挿通する樋形状の本体と、該本体の上面開口を閉鎖するカバーとを備えたプロテクタと、
前記プロテクタの本体の底壁側よりロッカパネルへ挿入固定するクランプを備えると共に、前記本体の車幅方向の外側壁より間隔をあけて外方に外側板部を備え、該外側板部にフロアカーペット係止部を備える一方、
フロアカーペットの車幅方向端末側に係止穴を設け、
前記ロッカパネルにクランプを介して固定したプロテクタの上面に前記フロアカーペットを敷設し、該フロアカーペットの端末側を下向きに屈曲させ、前記係止穴に前記フロアカーペット係止部を挿入係止して固定していることを特徴とするフロアカーペットの固定構造を提供している。
【０００８】
前記のように、本発明では、ロッカパネル上にワイヤハーネスを挿通したプロテクタをクランプでロッカパネルに固定した後、フロアカーペットプロテクタの上面に敷設し、該フロアカーペットの車幅方向の端末を前記プロテクタ本体の外側壁の外側に屈曲させ、該屈曲させた部分に設けた係止穴に前記フロアカーペット係止部を挿入係止して、フロアカーペットを固定している。
よって、フロアカーペットを敷設して固定する際に、ワイヤハーネスを収容したプロテクタをロッカパネルより持ち上げたりする必要はなく、作業を簡単として作業時間を短縮することができると共に、部品点数の削減を図ることもできる。
【０００９】
前記外側板部の上端を屈曲させてバネ片部からなる前記フロアカーペット係止部を設け、該フロアカーペット係止部の高さは前記本体の外側壁より低くし、前記バネ片部と前記プロテクタ本体の外側壁との間に前記フロアカーペットの端末側を屈曲して挿入し、前記係止穴に前記バネ片部を挿入係止していることが好ましい。
【００１０】
前記フロアハーネス係止部は外側板部の上端を「く」の字状に屈曲させてバネ片部から形成し、該バネ片部をプロテクタ本体の外側壁に弾性接触させておき、フロアカーペットをプロテクタ本体の外側壁と前記バネ片部の間に、バネ片を押し開くように挿入していくと、フロアカーペットに設けた係止穴の位置でバネ片部の屈曲部を自動的に挿入させることができる。かつ、係止穴より先端側のフロアカーペットの端末をプロテクタ本体の外側壁と固定板の外側壁との間に挟持することができる。
【００１１】
前記クランプと前記フロアカーペット係止部を有する外側板部を一体的に有する固定板を備え、該固定板を前記プロテクタの底壁に長さ方向に間隔をあけて連結固定していることが好ましい。
【００１２】
即ち、クランプおよびフロアカーペット係止部とを一体成形した固定板をプロテクタと別体に設け、連結固定する構成とすると、プロテクタは押出成形で設けることができ、該プロテクタの長さ方向に間隔をあけて前記固定板を連結固定している。
前記プロテクタの本体とカバーとは別体としてもよいが、上面が開口された樋形状の本体の両側壁の一方側の上端にカバーの一端を薄肉ヒンジを介して取り付けておくと、本体とカバーとからなるプロテクタ本体が一体として押出成形することができる。
この場合、カバーの係止部と本体の被係止部は、押出成形互いに係止する爪を先端に備えた係止片を長さ方向に連続して設けたものとしている。
このように、本体とカバーとを一体として押出成形でプロテクタを形成すると、プロテクタを簡単かつ安価に接続できる。
【００１３】
前記プロテクタと固定板とを別体として連結固定する代わりに、射出成型で一体的に設けてもよい。
その場合、プロテクタの底壁からクランプを突設すると共に、底壁から外方へ延在させて後に前記外側板部を立設し、該外側板部に前記フロアカーペット係止部を設けている。
【００１４】
前記フロアカーペット係止部は、前記プロテクタ本体の外側壁と、前記ロッカパネルの外端の上向き屈曲部に取り付けられるウエザーストリップとの隙間に配置している。
このように、フロアカーペット係止部を位置させると、ウエザーストリップでフロアカーペットの係止部を上面からカバーすることができ、スカッフプレートを用いることなく、係止部の保護と見栄え向上を図ることができる。
【００１５】
前記プロテクタ本体の車幅方向で内側端より間隔をあけて突設した内側板部を備え、該内側板部と前記本体の内側壁との空間をウオッシャフォースおよび／またはオープナーケーブルの挿通部としていることが好ましい。
該構成とすると、プロテクタと内側板部とでウオッシャフォースおよび／またはオープナーケーブルの挿通部を確保することができ、かつ、フロアカーペットで覆うことができる。
【発明の効果】
【００１６】
前述したように、本発明によれば、プロテクタ本体の外側壁の外方に立設した外側板部にフロアカーペット係止部を設けておき、クランプでプロテクタをロッカパネルに固定した後に、その上面にフロアカーペットを付設し、該フロアカーペットの車幅方向の端部を屈曲させ、該屈曲部分に穿設した係止穴に前記フロアカーペット係止部を挿入係止するだけで、フロアカーペットの車幅方向の端末を簡単に固定することができる。
また、フロアカーペットの固定部分のボロ隠しをウエザーストリップで隠すことができ、見栄え性向上上のスカッフプレートが不要となる。
さらに、前記特許文献２のようにフロアカーペットを敷設して固定する際に、ワイヤハーネスを収容したプロテクタをロッカパネルより持ち上げたりする必要はなく、作業を簡単として作業時間を短縮することができると共に、スカッフプレートを含めた部品点数の削減を図ることもできる。
【発明を実施するための最良の形態】
【００１７】
以下、本発明の実施形態を図面を参照して説明する。
図１乃至図５に本発明の第一実施形態を示す。
図１に示すように、自動車のロッカパネル１０の車幅方向の外側部には、ワイヤハーネス（フロアハーネス）Ｗ／Ｈを挿通したプロテクタ１１を固定板１２を介してロッカパネル１０に固定し、該プロテクタ１１の上面にフロアカーペット１５を敷設し、該フロアカーペット１５の車幅方向の外側部を下向きに屈曲し、固定板１２から突設した外側板部３０に設けたフロアカーペット係止部３１で固定している。該固定板１２とフロアカーペット１５との固定部は、ロッカパネル１０の外側端に取り付けたウエザーストリップ１６で覆っている。
【００１８】
第一実施形態では、前記のようにプロテクタ１１と、ロッカパネル係止用のクランプとフロアカーペット係止部を設けた固定板１２とを別体として、プロテクタ１１の長さ方向に所定間隔をあけて連結固定している。
【００１９】
前記プロテクタ１１は、車両前後方向に延在し、樋形状の本体２０と、その一側壁の上端に薄肉ヒンジ部２１を介して開閉自在なカバー２２とからなり、押し出し成形された樹脂成形品からなる。
前記本体２０は、底壁２０ａの車幅方向の両端より外側壁２０ｂ、内側壁２０ｃを立設し、外側壁２０ｂの上端に薄肉ヒンジ部２１を介してカバー２２を一体に設けている。
前記内側壁２０ｃは上部にカバー係止部２０ｄを突設し、カバー２２の閉鎖時に、該カバー２２に突設した係止突起２２ａを係止できる形状としている。
【００２０】
前記プロテクタ１１の本体２０の底壁２０ａには長さ方向に間隔をあけて前記固定板１２を連結固定しており、該固定板１２は射出成形品からなる。
前記固定板１２は、前記本体２０の底壁２０ａの下面に沿って固定する取付板部２５と、該取付板部２５の上面から突設するＴ字状の連結板部２６と、取付板部２５の下面から突設する軸部２７ａの先端から折り返し状に係止羽根状２７ｂを設けたクランプ２７を備えている。該クランプ２７はロッカパネル１０の係止穴１０ａに挿入係止するものである。
前記連結板部２６は、図４に示すように、プロテクタ本体の底壁２０ａに長さ方向に間隔をあけて設けたＴ形状の取付穴２０ｆを通して挿入し、横板部２６ｂを矢印方向にスライドさせて底壁２０ａの内面に係止し、固定板１２をプロテクタ１１に連結し、取付板部２５を底壁２０ａの下面に固定している。
【００２１】
前記取付板部２５の車幅方向外端から外側板部３０を立設している。該外側板部３０はプロテクタ本体２０の外側壁２０ｂの外側に位置する。該外側板部３０の上端を外側壁２０ｂ側に向けて「く」の字状に屈曲させてバネ片部からなるフロアカーペット係止部３１を設け、該フロアカーペット係止部３１の屈曲端３１ａを外側壁２０ｂに弾性接触させている。該フロアカーペット係止部３１の高さは外側壁２０ｂより低くしている。
【００２２】
前記外側板部３０はロッカパネル１０の車幅方向外端より立設した屈曲部１０ｂに装着するウエザーストリップ１６の係止片部１６ａとプロテクタ本体２０の外側壁２０ｂの間に位置し、かつ、ウエザーストリップ１６のカバー部１６ｃに覆われる位置に設けている。
【００２３】
また、固定板１２には、取付板部２５の車幅方向内端から内側板部３２を立設し、該内側板部３２とプロテクタ本体の内側壁２０ｃとの間の空間Ｓをウオッシャフォースおよび／またはオープナーケーブル３５の挿通部としている。該内側板部３２の高さは内側部２０ｃの高さの半分以下としている。
【００２４】
一方、フロアカーペット１５には、車幅方向の端末部に長さ方向に間隔をあけて係止穴１５ａを予め設けている。この係止穴１５ａの位置は、前記プロテクタ１１に固定する固定板１２の間隔と一致させている。
【００２５】
次に、ロッカパネル１０にプロテクタ１１およびフロアカーペット１５の固定について説明する。
まず、プロテクタ１１の本体２０に固定板１２を連結固定しておく。ついで、プロテクタ１１の本体２０内にワイヤハーネスＷ／Ｈを挿通し、カバー２２を閉鎖し、内側壁２０ｃのカバー係止部２０ｄにカバー２２の係止突起２２ａを係止する。
【００２６】
前記ワイヤハーネスＷ／Ｈを挿通したプロテクタ１１を、図５（Ａ）に示すように、自動車のロッカパネル１０の上面に配置し、固定板１２のクランプ２７をロッカパネル１０の係止穴１０ａに挿入係止する。この状態で、固定板１２の外側板部３０はロッカパネル１０の外端屈曲部１０ｂの内側に位置する。
ついで、図５（Ｂ）に示すように、固定板１２の内側板部３２とプロテクタ本体２０の内側壁２０ｃとの間にオープナーケーブル３５を挿通し、内側壁２０ｃと内側板部３２との間にオープナーケーブル３５を挟持固定する。
ついで、図５（Ｃ）に示すように、フロアカーペット１５を敷設し、その車幅方向の外側部をプロテクタ１１の上面に被せ、該フロアカーペット１５の係止穴１５ａを設けた端末部分を下向きに屈曲させて、プロテクタ１１の外側壁２０ｂと固定板１２の外側板部３０の間に上方から押し込んでいく。
其の際、外側板部３０のバネ片部からフロアカーペット係止部３１の屈曲端３１ａが外側壁２０ｂに弾性接触しているため、図５（Ｄ）に示すように、屈曲端３１ａを外方へ移動させフロアカーペット１５を押し込んでいく。フロアカーペット１５の係止穴１５ａが屈曲端３１ａに達すると、図５（Ｅ）に示すように、屈曲端３１ａは係止穴１５ａ内に自動的に挿入係止する。
これにより、フロアカーペット１５の車幅方向の端末は上方から押し込むだけで、プロテクタ本体２０の外側壁２０ｂの外面に固定でき、かつ、係止穴１５ａより先端側のフロアカーペットは外側壁２０ｂと外側板部３０との間に挟持される。
その後、図５（Ｆ）に示すように、ロッカパネル１０の外端の屈曲部１０ｂにウエザーストリップ１６が装着され、該ウエザーストリップ１６のカバー部１６ｂにより、フロアカーペット１５の固定部分は上方から被覆される。
【００２７】
前記のように、ロッカパネル１０に固定したプロテクタ１１の上面にフロアカーペット１５を被せ、フロアカーペット１５の端末側を下向きに折り曲げてプロテクタ１１の外側壁に沿って押し込んでいくだけで、フロアカーペット１５の係止穴１５ａに、フロアカーペット係止部３１が自動的に挿入されて、フロアカーペット１５をプロテクタ１１に固定することができる。
よって、フロアカーペット１５の敷設時にプロテクタ１１を持ち上げたりする必要はなく、プロテクタ１１のロッカパネル１０への取付構造を簡単とすることができる。かつ、プロテクタ１１とフロアカーペット１５との固定部分がウエザーストリップ１６で被覆されるため、見栄え向上用のスカッフプレートを設ける必要がなくなる。
【００２８】
図６に第二実施形態を示す。
第二実施形態では、プロテクタと固定板とを一体化した構成とし、射出成形で設けている。
第一実施形態との相違は、プロテクタ１１の本体底壁２０ａの底面からクランプ２７を一体的に突設し、かつ、本体底壁２０ａを外側壁２０ｂと内側壁２０ｃの両端から車幅方向に延在させ、その先端から外側板部３０と内側板部３２とを立設し、外側板部３０の上端に第一実施形態と同様なバネ片部からなるフロアカーペット係止部３１を設けている。
他の構成は第一実施形態と同様であり、かつ、ロッカパネルへの固定方法およびフロアカーペット１５の固定方法も同一であるため、同一符号を付して説明を省略する。
【図面の簡単な説明】
【００２９】
【図１】本発明の第一実施形態を示す断面図である。
【図２】ワイヤハーネスを装着したプロテクタの斜視図である。
【図３】プロテクタと固定板とを連結固定した状態の断面図である。
【図４】プロテクタ本体と固定板との連結固定部分を示す斜視図である。
【図５】（Ａ）〜（Ｆ）はプロテクタおよびフロアカーペットをロッカパネルに固定する手順を示す断面図である。
【図６】第二実施形態を示す断面図である。
【図７】従来例を示す断面図である。
【符号の説明】
【００３０】
１０  ロッカパネル
１１  プロテクタ
１２  固定板
１５  フロアカーペット
１５ａ  係止穴
１６  ウエザーストリップ
２０  プロテクタ本体
２０ａ  底壁
２０ｂ  外側壁
２０ｃ  内側壁
２２  カバー
２６  連結板部
２７  クランプ
３０  外側板部
３１  フロアカーペット係止部
３２  内側板部
【図１】
2008279907.tif 000003
【図２】
2008279907.tif 000004
【図３】
2008279907.tif 000005
【図４】
2008279907.tif 000006
【図５】
2008279907.tif 000007
【図６】
2008279907.tif 000008
【図７】
2008279907.tif 000009